(57)【特許請求の範囲】
【請求項１】
現金を引き出すことができる端末との間で通信を行う携帯通信端末であって、
前記端末とＮＦＣ通信を行う第１通信部と、
前記端末からの引き出し処理に係る引出情報を前記端末に送信する制御部と、を有し、
前記端末に送信した前記引出情報に基づく所定の金額が、前記端末から前記ＮＦＣ通信によりチャージされる
携帯通信端末。
【請求項２】
前記端末と前記ＮＦＣ通信よりも早い通信速度で通信を行う第２通信部と、
前記引出情報のうちセキュリティが必要な第１データと、前記引出情報のうち前記第１データよりもセキュリティが求められる度合いが低い第２データとを記憶する記憶部と、を備え、
前記制御部は、前記引出情報を前記端末に送信する際、前記第１通信部から前記端末に前記第１データを送信させるとともに、前記第２通信部から前記端末に前記第２データを送信させることを特徴とする請求項１に記載の携帯通信端末。
【請求項３】
前記端末は、現金自動預け払い機であり、
前記記憶部は、前記端末を用いた振り込み処理に係る振込情報を記憶し、
前記第１通信部及び前記第２通信部は、前記振込情報と前記引出情報の双方を前記現金自動預け払い機に送信することを特徴とする請求項２に記載の携帯通信端末。
【請求項４】
前記第１通信部及び前記第２通信部は、複数の振込情報を一緒に送信することを特徴とする請求項３に記載の携帯通信端末。
【請求項５】
振込情報及び引出情報を入力する入力部を有することを特徴とする請求項３または４に記載の携帯通信端末。
【請求項６】
前記制御部は、振込情報及び引出情報の少なくとも一方の送信後に、当該送信した情報を前記記憶部から削除することを特徴とする請求項３から５のいずれか１項に記載の携帯通信端末。
【請求項７】
前記第１通信部及び前記第２通信部は、前記現金自動預け払い機で実行できなかった前記引き出し処理又は前記振り込み処理に係る情報を受信して、前記記憶部に記憶させることを特徴とする請求項３から６のいずれか１項に記載の携帯通信端末。
【請求項８】
請求項１から７のいずれか１項に記載の携帯通信端末と、
前記第１通信部とＮＦＣ通信を行う第３通信部及び前記第２通信部と通信を行う第４通信部を有する端末とを備えることを特徴とする通信システム。
【請求項９】
携帯通信端末と現金を引き出すことができる他の端末との間で通信を行う通信方法であって、
前記携帯通信端末が、前記端末からの引き出し処理に係る引出情報を前記端末に送信し、
前記端末が、前記引出情報に基づく所定の金額を、前記ＮＦＣ通信により前記携帯通信端末にチャージすることを特徴とする通信方法。
【請求項１０】
通信機能を有する端末と通信を行う携帯通信端末であって、
前記端末とＮＦＣ通信を行う第１通信部と、
前記端末と前記ＮＦＣ通信よりも早い通信速度で通信を行う第２通信部と、
セキュリティ度合いの高い第１データと、前記第１データよりもセキュリティ度合いが低い第２データとを記憶する記憶部と、
前記端末との通信の際に、前記第１通信部から前記端末に前記第１データを送信させるとともに、前記第２通信部から前記端末に前記第２データを送信させる制御部と、を有し、
前記制御部は、前記端末を用いた振り込み処理に係る振込情報及び前記端末から金を引き出す処理に係る引出情報の双方が、前記端末との通信を行う前に前記記憶部に記憶されていた場合、当該振込情報及び当該引出情報の双方の中の前記第１データを前記第１通信部により前記端末に送信するとともに、当該振込情報及び当該引出情報の双方の中の前記第２データを前記第２通信部により前記端末に送信することを特徴とする携帯通信端末。
【発明の詳細な説明】
【技術分野】
【０００１】
本発明は、端末と通信を行い、情報の送受信を行う携帯通信端末、通信システム及び通信方法に関する。
【背景技術】
【０００２】
近年、携帯電話機では、いわゆるおサイフケータイといわれる機能を備える携帯通信端末がある。この携帯通信端末は、非接触型ＩＣカードを有し、この非接触型ＩＣカードと専用機器との間で通信を行うことで課金情報の交換を行う。
【０００３】
例えば、特許文献１には、ネットワークを介して送受信を行う第１の通信部と、通信機器と通信し、データを受信可能な第２の通信部と、通信機器に関する通信機器情報と、情報を送信する送信先を示す送信先情報とを対応させて記憶する記憶部と、通信機器と第２通信部が通信を行ったとき、通信機器から受信したデータの少なくとも一部を含めた情報を第１の通信部を用いて送信するように制御する制御部と、を備えていることを特徴とする通信端末が記載されている。
【先行技術文献】
【特許文献】
【０００４】
【特許文献１】特開２００７−１８１２１７号公報
【発明の概要】
【発明が解決しようとする課題】
【０００５】
ここで、非接触型ＩＣカードを用いた通信は、近距離で通信を行う必要があるため、セキュリティを高く維持することはできるが、通信速度が遅い。そのため、料金の情報に加え種々の情報の送受信も行うと、通信時間が長くなってしまう。
【０００６】
また、特許文献１に記載のシステムでは、非接触型ＩＣカード等を用いた通信機器との通信により、通信機器から受信した情報をネットワーク通信により送信することで、情報を取得しているため、非接触型ＩＣカード等による通信で種々の情報を送受信する必要があり、この方法でもやり取りする情報量が多くなるという問題がある。
【０００７】
本発明は、上記に鑑みてなされたものであって、セキュリティを高く維持しつつ、短時間で情報の送受信を行うことができる携帯通信端末、通信システム及び通信方法を提供することを目的とする。
【課題を解決するための手段】
【０００８】
上述した課題を解決し、目的を達成するために、本発明は、現金を引き出すことができる端末との間で通信を行う携帯通信端末であって、前記端末とＮＦＣ通信を行う第１通信部と、前記端末からの引き出し処理に係る引出情報を前記端末に送信する制御部と、を有し、前記端末に送信した前記引出情報に基づく所定の金額が、前記端末から前記ＮＦＣ通信によりチャージされる。
【０００９】
また、前記端末と前記ＮＦＣ通信よりも早い通信速度で通信を行う第２通信部と、前記引出情報のうちセキュリティが必要な第１データと、前記引出情報のうち前記第１データよりもセキュリティが求められる度合いが低い第２データとを記憶する記憶部と、を備え、前記制御部は、前記引出情報を前記端末に送信する際、前記第１通信部から前記端末に前記第１データを送信させるとともに、前記第２通信部から前記端末に前記第２データを送信させることが好ましい。
【００１０】
また、前記端末は、現金自動預け払い機であり、前記記憶部は、前記端末を用いた振り込み処理に係る振込情報を記憶し、前記第１通信部及び前記第２通信部は、前記振込情報と前記引出情報の双方を前記現金自動預け払い機に送信することが好ましい。
【００１１】
また、前記第１通信部及び前記第２通信部は、複数の振込情報を一緒に送信することが好ましい。
【００１２】
振込情報及び引出情報を入力する入力部を有することが好ましい。
【００１３】
また、前記制御部は、振込情報及び引出情報の少なくとも一方の送信後に、当該送信した情報を前記記憶部から削除することが好ましい。
【００１４】
また、前記第１通信部及び前記第２通信部は、前記現金自動預け払い機で実行できなかった前記引き出し処理又は前記振り込み処理に係る情報を受信して、前記記憶部に記憶させることが好ましい。
【００１５】
上述した課題を解決し、目的を達成するために、本発明は、通信システムであって、上記のいずれかに記載の携帯通信端末と、前記第１通信部とＮＦＣ通信を行う第３通信部及び前記第２通信部と通信を行う第４通信部を有する端末とを備えることを特徴とする。
【００１６】
上述した課題を解決し、目的を達成するために、本発明は、携帯通信端末と現金を引き出すことができる他の端末との間で通信を行う通信方法であって、前記携帯通信端末が、前記端末からの引き出し処理に係る引出情報を前記端末に送信し、前記端末が、前記引出情報に基づく所定の金額を、前記ＮＦＣ通信により前記携帯通信端末にチャージすることを特徴とする。
また、上述した課題を解決し、目的を達成するために、本発明は、通信機能を有する端末と通信を行う携帯通信端末であって、前記端末とＮＦＣ通信を行う第１通信部と、前記端末と前記ＮＦＣ通信よりも早い通信速度で通信を行う第２通信部と、セキュリティ度合いの高い第１データと、前記第１データよりもセキュリティ度合いが低い第２データとを記憶する記憶部と、前記端末との通信の際に、前記第１通信部から前記端末に前記第１データを送信させるとともに、前記第２通信部から前記端末に前記第２データを送信させる制御部と、を有し、前記制御部は、前記端末を用いた振り込み処理に係る振込情報及び前記端末から金を引き出す処理に係る引出情報の双方が、前記端末との通信を行う前に前記記憶部に記憶されていた場合、当該振込情報及び当該引出情報の双方の中の前記第１データを前記第１通信部により前記端末に送信するとともに、当該振込情報及び当該引出情報の双方の中の前記第２データを前記第２通信部により前記端末に送信することを特徴とする。
【発明の効果】
【００１７】
本発明にかかる携帯通信端末、通信システム及び通信方法は、セキュリティを高く維持したまま、短時間で情報の送受信を行うことができるという効果を奏する。
【図面の簡単な説明】
【００１８】
【図１】図１は、本発明の通信システムの一実施形態の概略構成を示す正面図である。
【図２】図２は、図１に示す携帯通信端末の正面図である。
【図３】図３は、図１に示す通信システムの機能の概略構成を示すブロック図である。
【図４】図４は、携帯通信端末の処理動作の一例を示すフロー図である。
【図５】図５は、携帯通信端末の処理動作の一例を示すフロー図である。
【図６】図６は、携帯通信端末の処理動作の一例を示すフロー図である。
【図７】図７は、現金自動預け払い機の処理動作の一例を示すフロー図である。
【発明を実施するための形態】
【００１９】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、通信システムを、携帯通信端末と現金自動預け支払い機（Automated Teller Machine、以下「ＡＴＭ」という。）で構成したが、携帯通信端末と通信する機器は、ＡＴＭに限定されず、携帯通信端末と通信可能な種々の機器を用いることができる。また、以下においては、携帯通信端末として携帯電話機を例として説明するが、本発明の適用対象は携帯電話機に限定されるものではなく、例えば、ＰＨＳ（Personal Handyphone System）、ＰＤＡ、ポータブルナビゲーション装置、ゲーム機、表示装置付きカード等に対しても本発明は適用できる。
【００２０】
図１は、本発明の通信システムの一実施形態の概略構成を示す正面図である。また、図２は、図１に示す携帯通信端末の正面図であり、図３は、図１に示す通信システムの機能の概略構成を示すブロック図である。図１に示すように、通信システム１００は、携帯通信端末１とＡＴＭ５０とを有する。通信システム１００は、携帯通信端末１とＡＴＭ５０との間で通信を行い、情報の授受を行う。また、ＡＴＭ５０は、短距離無線通信部５４と、現金授受部６０と、表示部６２とを有する。ＡＴＭ５０構成は、後ほど詳細に説明する。また、通信システム１００は、ホストコンピュータ７０とサーバ８０（図３参照）も有するがこの点は後ほど説明する。
【００２１】
携帯通信端末１は、無線通信機能を備えた携帯電話機である。まず、携帯通信端末の構成を説明する。携帯通信端末１は、筐体１Ｃが第１筐体１ＣＡと第２筐体１ＣＢとで開閉可能に構成された、折り畳み式の携帯電話機である。なお、図１、図２は、携帯通信端末１を開いた状態である。
【００２２】
第１筐体１ＣＡには、表示部として、図１に示すメインディスプレイ２Ｍが設けられる。メインディスプレイ２Ｍは、所定の画像として、携帯通信端末１が受信を待機している状態のときに待ち受け画像を表示したり、携帯通信端末１の操作を補助するために用いられるメニュー画像を表示したりする。また、図１に示すように、第１筐体１ＣＡには、携帯通信端末１の通話時に音声を発するレシーバ６が設けられている。
【００２３】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための方向及び決定キー４が設けられる。なお、操作キー３及び方向及び決定キー４は、携帯通信端末１の操作部２８（図３参照）を構成する。また、第２筐体１ＣＢには、携帯通信端末１の通話時に音声を受け取るマイク５が設けられる。また、携帯通信端末１は、第２筐体１ＣＢの内部に非接触型ＩＣカード３６が内蔵されている。
【００２４】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向に回動できるように構成される。第１筐体１ＣＡと第２筐体１ＣＢとが互いに遠ざかる方向に回動すると携帯通信端末１が開き、第１筐体１ＣＡと第２筐体１ＣＢとが互いに接近する方向に回動すると携帯通信端末１が閉じる。
【００２５】
次に、図３を用いて、通信システムの機能と制御部との関係を説明する。図３に示すように通信システム１００は、携帯通信端末１と、ＡＴＭ５０と、ホストコンピュータ７０と、サーバ８０とを有する。
【００２６】
携帯通信端末１は、主制御部２２と、記憶部２４と、通信部２６と、操作部２８と、入力データ取得部２９と、音声処理部３０と、表示部３２と、表示制御部３３と、非接触型ＩＣカード（integrated circuit card）３６と、を有する。
【００２７】
主制御部２２は、携帯通信端末１の全体的な動作を統括的に制御する処理部、例えばＣＰＵ（Central Processing Unit）である。すなわち、携帯通信端末１の各種の処理が、操作部２８の操作や携帯通信端末１の記憶部２４に保存されるソフトウェアに応じて適切な手順で実行されるように、通信部２６、表示部３２、非接触型ＩＣカード３６等の動作を制御する。主制御部２２は、記憶部２４に保存されているプログラム（例えば、オペレーティングシステムプログラム、アプリケーションプログラム等）に基づいて処理を実行する。記憶部２４には、主制御部２２での処理に利用されるソフトウェアやデータが保存されている。具体的には、非接触型ＩＣカード３６の動作を制御するソフトウェアや、他の端末との通信の制御を行うソフトウェア等が保存されている。
【００２８】
通信部２６は、基地局によって割り当てられるチャネルを介し、基地局との間でＣＤＭＡ方式などによる無線信号回線を確立し、基地局との間で電話通信及び情報通信を行う。
【００２９】
操作部２８は、例えば、電源キー、通話キー、数字キー、文字キー、方向キー、決定キー、発信キーなど、各種の機能が割り当てられた操作キー３と、方向及び決定キー４とで構成され、これらのキーがユーザの操作により入力されると、その操作内容に対応する信号を発生させる。そして、発生した信号は、ユーザの指示として入力データ取得部２９へ入力される。
【００３０】
入力データ取得部２９は、操作部２８から発生した信号と、入力の設定に基づいて、制御信号を生成し、生成した制御信号を主制御部２２に入力する。例えば、文字入力の場合は、操作キー３の各キーの操作回数に基づいて、各キーに割り当てられている文字から１つの文字を抽出し、文字情報として主制御部２２に出力する。
【００３１】
音声処理部３０は、マイク５に入力される音声信号やレシーバ６から出力される音声信号の処理を実行する。
【００３２】
表示部３２は、液晶ディスプレイ（ＬＣＤ、Liquid Crystal Display）や、有機ＥＬ（Organic Electro−Luminescence）パネルなどで構成された表示パネル（上述したメインディスプレイ２Ｍ等）を備え、主制御部２２から表示制御部３３を介して供給される映像データに応じた映像、画像データに応じた画像を表示パネルに表示させる。
【００３３】
非接触型ＩＣカード３６は、FeliCa（登録商標）、MIFARE（登録商標）等の非接触で専用の通信部、後述する短距離無線通信部５４との通信を行うことができるＩＣチップである。非接触型ＩＣカード３６には、銀行の情報、支店の情報、銀行の口座番号、名義情報、振込み情報、暗証番号の情報等が記憶可能である。また、非接触型ＩＣカード３６は、短距離無線通信部５４との通信を行うことで、記憶している情報を短距離無線通信部５４に送ったり、短距離無線通信部５４から送られた情報を受信したりする。非接触型ＩＣカード３６は、受信した情報を記憶する。つまり、非接触型ＩＣカード３６は、短距離無線通信部５４との通信により、記憶した情報を書き換えることができる。また、非接触型ＩＣカード３６は、主制御部２２の制御によっても情報の読み出し、書き換えを行う。
【００３４】
ＡＴＭ５０は、制御部５２と、短距離無線通信部（ＮＦＣ（Near Field Communication）通信部）５４と、通信部５６と、記憶部５８と、現金授受部６０と、表示部６２と、操作部６４とを有し、携帯通信端末１との間で情報の送受信を行い、振込み、現金の引き出しを行う。なお、ＡＴＭ５０は、携帯通信端末１との間の通信に限定されず、操作部６４の操作、及び、キャッシュカード、通帳の出し入れにより、各種操作ができるようにしてもよい。以下、各部について説明を行う。
【００３５】
制御部５２は、ＡＴＭ５０の全体的な動作を統括的に制御する処理部、例えばＣＰＵ（Central Processing Unit）である。制御部５２は、操作部６４から入力される指示、短距離無線通信部５４、通信部５６から送られる情報に基づいて、短距離無線通信部５４、通信部５６、記憶部５８、現金授受部６０、表示部６２の各部の動作を制御する。また、制御部５２は、主制御部２２と同様に、記憶部５８に記憶されているデータ、アプリケーションプログラムを読み出すことで、各種動作の制御を行う。
【００３６】
短距離無線通信部５４は、非接触型ＩＣカード３６と通信を行う通信部である。短距離無線通信部５４は、設定された波長域の電波を所定の領域に発信する。この電波を発信している所定の領域内に非接触型ＩＣカード３６が入ると、この電波により非接触型ＩＣカード３６に電力が発生し、起動し、所定の信号を出力する。短距離無線通信部５４は、所定の領域内に入った非接触型ＩＣカード３６から出力される所定の信号を受信して、非接触型ＩＣカード３６との通信を行う。短距離無線通信部５４は、非接触型ＩＣカード３６に記憶された情報の読み取りや、短距離無線通信部５４への情報の書き込みを行う。
【００３７】
通信部５６は、ホストコンピュータ７０との間で通信を行う通信部である。記憶部５８は、制御部５２での処理に利用されるソフトウェアやデータが保存されている。
【００３８】
現金授受部６０は、操作者の操作により引き出された現金を提供したり、操作者から預けられる現金を投入したりする投入部と、提供する現金の枚数を数えたり、投入部に入れられた現金の枚数を数えたりする計算部と、現金を保管する管理部等を有し、操作者との間で現金の授受を行う。
【００３９】
表示部６２は、制御部５２の制御に基づいて画像を表示させるモニタであり、操作画像や、指示、口座情報、残金情報等を表示する。操作部６４は、操作者が操作を入力する部分である。操作部６４としては、表示部６２と組み合わせたタッチパネルや、キーボード、テンキー等を用いることができる。操作部６４は、操作者により入力された操作指示を制御部５２に送る。
【００４０】
次に、ホストコンピュータ７０は、銀行等の金融機関で、口座情報を管理する処理装置であり、金融機関の業務（引き出し、振込み等）に必要な各種情報が記憶されている。このホストコンピュータ７０は、ＡＴＭ５０の通信部５６及びサーバ８０と通信し、通信部５６及びサーバ８０から供給される情報を処理し、各口座を管理し、引き出し、預け入れ、振込み等の処理を行う。また、ホストコンピュータ７０は、処理結果をサーバ８０に送ったり、通信部５６に現金が引き出し可能であるかの指示を送ったりする。
【００４１】
サーバ８０は、携帯通信端末１の通信部２６や、ホストコンピュータ７０との間で通信を行い、情報の送受信を行う。なお、本実施形態では、サーバ８０を１つのサーバとして示したが、携帯通信端末１の通信部２６と、ホストコンピュータ７０とは、複数のサーバを介して接続してもよい。
【００４２】
また、上記実施形態では、１つのホストコンピュータ７０に対して、１つのＡＴＭ５０が接続されている構成としたが、ホストコンピュータ７０は、基本的に複数のＡＴＭ５０と接続されている。また、通信回線は、有線、無線のいずれでもよい。また、ＡＴＭ５０は、複数の銀行の業務を取り扱う場合は、複数のホストコンピュータ７０と接続される。
【００４３】
次に、通信システム１００の動作について説明する。図４から図６は、それぞれ携帯通信端末の処理動作の一例を示すフロー図であり、図７は、現金自動預け払い機の処理動作の一例を示すフロー図である。
【００４４】
まず、通信システム１００は、携帯通信端末１とＡＴＭ５０との間で情報の送受信を行う前に、携帯通信端末１に各種情報を記憶させる処理を行う。図４に示すフロー図は、携帯通信端末１に銀行に開設している口座のキャッシュカードに関する情報を入力する処理である。まず、携帯通信端末１の主制御部２２は、ステップＳ１２として、キャッシュカード情報登録機能を持ったアプリケーション（アプリケーションソフト）を起動させる。ここで、キャッシュカード情報登録機能を持ったアプリケーションは、非接触型ＩＣカード３６の動作を制御するソフトウェアの１つである。なお、携帯通信端末１の主制御部２２は、操作者の操作や、所定の条件（通信部等を介して起動する指示が入力される等）を満たした場合にステップＳ１２としてアプリケーションを起動させる。
【００４５】
主制御部２２は、ステップＳ１２でアプリケーションを起動させたら、ステップＳ１４として、キャッシュカード情報の入力を検出する。キャッシュカード情報の入力の検出は、操作者による操作部２８の操作を検出したり、通信部２６、非接触型ＩＣカード３６から送られた所定の情報を検出したりすることで行われる。また、操作者による操作部２８の操作を検出する場合は、表示部３２に操作画面を表示させるようにすればよい。また、キャッシュカード情報としては、銀行の情報、支店の情報、預金形態（当座、普通、総合等）、口座番号、名義等がある。また、暗証番号も入力するようにしてもよい。
【００４６】
主制御部２２は、ステップＳ１４で入力を検出したら、ステップＳ１６として入力されたキャッシュカード情報を非接触型ＩＣカード（以下「ＩＣカード」ともいう。）３６に書き込み、処理を終了する。これにより、非接触型ＩＣカード３６には、キャッシュカード情報を記憶させることができる。
【００４７】
次に、図５を用いて、振込みに関する情報、引き出しに関する情報を携帯通信端末に記憶させる処理について説明する。まず、主制御部２２は、ステップＳ２０として、振込／引出情報登録機能を持ったアプリケーションを起動させる。なお、振込／引出情報登録機能を持ったアプリケーションは、記憶部に記憶されているソフトウェアである。また、このアプリケーションも操作部に所定の操作が入力されたら、また外部から所定の指示が送られたら起動させる。
【００４８】
主制御部２２は、ステップＳ２０でアプリケーションを起動させたら、ステップＳ２２として、振込み情報の書き込みがあるかを判定する。つまり、主制御部２２は、操作者によって、外部から振込みに関する情報が書き込まれているかを判定する。
【００４９】
主制御部２２は、ステップＳ２２で、振込情報の書き込みあり（Ｙｅｓ）と判定したら、ステップＳ２４として、振込情報の入力を検出する。具体的には、主制御部２２は、入力された振込み先の銀行、支店名、預金形態、口座番号、名義、振り込みの金額、日時等の情報を検出する。主制御部２２は、ステップＳ２４で振込情報を検出したら、ステップＳ２６として、ステップＳ２４で検出した振込情報を振込／引出リストに登録する。ここで、振込／引出リストとは、振込み及び引き出しに関する各種情報のリストであり、記憶部２４や非接触型ＩＣカード３６に記憶される。
【００５０】
主制御部２２は、ステップＳ２６で、情報をリストに登録したら、またはステップＳ２２で振込情報の書き込みがない（Ｎｏ）と判定したら、ステップＳ２８として、引出情報の書き込みがあるかを判定する。つまり、主制御部２２は、操作者によって、外部から引き出しに関する情報が書き込まれているかを判定する。
【００５１】
主制御部２２は、ステップＳ２８で、引出情報の書き込みあり（Ｙｅｓ）と判定したら、ステップＳ３０として、引出情報の入力を検出する。具体的には、主制御部２２は、引き出し金額、引き出し先（非接触型ＩＣカード３６にチャージするか、現金として引き出すか等）の情報を検出する。主制御部２２は、ステップＳ３０で引出情報を検出したら、ステップＳ３２として、ステップＳ３０で検出した引出情報を振込／引出リストに登録する。
【００５２】
主制御部２２は、ステップＳ３２で、引出情報をリストに登録したら、またはステップＳ２８で引出情報の書き込みがない（Ｎｏ）と判定したら、ステップＳ３４として、登録完了かを判定する。つまり、登録完了処理が入力されているかを判定する。主制御部２２は、ステップＳ３４で登録終了ではない（Ｎｏ）、つまり、登録終了の指示が入力されていないと判定したら、ステップＳ２２に進み、上記処理を繰り返す。つまり、主制御部２２は、登録が完了する指示の入力を検出するまで、振込情報、引出情報の検出と、リストへの登録を繰り返す。主制御部２２は、ステップＳ３４で登録完了である（Ｙｅｓ）と判定したら、つまり、登録完了の指示が入力されていると判定したら、ステップＳ３６として、振込／引出リストを保存して、処理を終了する。なお、振込／引出リストの情報は、項目毎に振り分けて、記憶部２４と、非接触型ＩＣカード３６に保存すればよい。具体的には、高いセキュリティが必要な情報は、非接触型ＩＣカード３６に記憶させ、該高いセキュリティが必要な情報よりも低いセキュリティでよい情報は、記憶部２４に記憶させるようにする。なお、全ての情報を記憶部２４に記憶させ、非接触型ＩＣカード３６で情報の送受信を行う前に非接触型ＩＣカード３６に保存させるようにしてもよい。図５に示すフロー図の処理により、携帯通信端末１に、振込みに関する情報及び引き出しに関する情報を記憶させることができる。なお、振込／引出リストの情報を高いセキュリティが必要な情報と、低いセキュリティでよい情報とに振り分ける方法としては、予め項目毎に振り分け先を設定する方法や、操作者の操作に基づいて振り分ける方法等がある。
【００５３】
次に、図６及び図７を用いて、携帯通信端末１と、ＡＴＭ５０との間の通信について説明する。携帯通信端末１は、図４及び図５に示す処理が行われ、キャッシュカード情報と、振込／引出リストが記憶されている。この状態で、操作者が携帯通信端末１をＡＴＭ５０の短距離無線通信部５４（ＡＴＭ側の読取機）に近づけると、携帯通信端末１と、ＡＴＭ５０との間で通信が開始する。
【００５４】
以下、まず、携帯通信端末１の動作について説明する。携帯通信端末１は、ＡＴＭ５０の短距離無線通信部５４（ＡＴＭ側の読取機）に近づけられると、短距離無線通信部５４から出力される電波により非接触型ＩＣカード３６が起動される。主制御部２２は、非接触型ＩＣカード３６が起動されたら、通信の対象を特定する。主制御部２２は、通信の対象を特定することで、ステップＳ４０として、ＡＴＭ側の読取機にかざされたことを検知する。主制御部２２は、ステップＳ４０で、ＡＴＭ側の読取機にかざされたことを検知したら、短距離無線通信部５４と通信を行い、ステップＳ４２として、キャッシュカード情報を送信する。具体的には、非接触型ＩＣカード３６と短距離無線通信部５４との間で通信を行い、キャッシュカード情報を短距離無線通信部５４に送る。なお、短距離無線通信部５４が非接触型ＩＣカード３６に記憶されている情報を読み取るようにしてもよい。また、非接触型ＩＣカード３６と短距離無線通信部５４とは、キャッシュカード情報のやり取りを行う前に、読み取り方式の設定や、互いの装置の認証を行うための情報のやり取りを行うようにしてもよい。
【００５５】
次に、主制御部２２は、ステップＳ４４として、登録された振込／引出情報のうち、セキュリティが必要な情報をＮＦＣ通信（短距離無線通信）で送信する。つまり、主制御部２２は、振込／引出情報のうち高いセキュリティで送受信を行う必要がある情報を、非接触型ＩＣカード３６と短距離無線通信部５４との間の通信で、非接触型ＩＣカード３６から短距離無線通信部５４に送る。ここで、高いセキュリティで送受信を行う必要がある情報は、必要に応じて設定することができるが、口座番号や、金額、振込日時等である。
【００５６】
次に、主制御部２２は、ステップＳ４６として、登録された振込／引出情報のうち、セキュリティがそれほど要求されない情報を高速な通信方式で送信する。具体的には、主制御部２２は、振込／引出情報のうちステップＳ４４で送っていない情報を、通信部２６から、ホストコンピュータ７０、サーバ８０を介して通信部５６に送る。つまり、通常の通信回線を利用して、ＡＴＭ５０に情報を送る。なお、通信回線を利用する場合は、ＡＴＭ５０と携帯通信端末１との認証を行うための情報や、携帯通信端末１からＡＴＭ５０を呼び出すための電話番号、アドレス等の情報は、非接触型ＩＣカード３６と短距離無線通信部５４との間の通信で取得するようにしても、操作者が入力するようにしてもよい。また、通信部２６から、ホストコンピュータ７０、サーバ８０を介した通信は、ＮＦＣ通信よりも通信速度が速い各種通信を用いることができる。例えば、ＬＴＥ（Long Term Evolution）方式を用いることができる。また通信速度は、ＬＴＥ方式よりも遅くなるが、Ｗ−ＣＤＭＡ（Wideband Code Division Multiple Access）方式や、ＣＤＭＡ２０００方式等も用いることができる。
【００５７】
次に、主制御部２２は、ステップＳ４４及びステップＳ４６の通信で、情報を送信したら、ステップＳ４８として、登録された振込／引出情報を消去する。具体的には、主制御部２２は、ステップＳ４４及びステップＳ４６で送った情報を記憶部２４及び非接触型ＩＣカード３６から消去する。
【００５８】
主制御部２２は、ステップＳ４８で情報を消去したら、ステップＳ５０として、指定額をチャージする情報を受信する。具体的には、主制御部２２は、ステップＳ４４及びステップＳ４６で送られる振込／引出情報に銀行口座から所定額を引き出し、非接触型ＩＣカード３６にチャージ（デポジット）する引出情報が含まれている場合は、引き出された金額情報を短距離無線通信部５４から非接触型ＩＣカード３６に送る。これにより、非接触型ＩＣカード３６には、引き出した金額分のお金がデポジットされた状態となる。なお、引出情報がない場合は、０円がチャージされたり、ステップＳ５０の処理が省略されたりする。
【００５９】
次に、主制御部２２は、ステップＳ５２として、処理できなかった振込／引出情報を受信する。具体的には、携帯通信端末１から送られた振込／引出情報のうち、ＡＴＭ５０で処理できなかった振込／引出情報が、ＡＴＭ５０から携帯通信端末１に送られる。なお、振込／引出情報は、高いセキュリティで送受信する必要がある情報は、非接触型ＩＣカード３６と短距離無線通信部５４との間の通信でやりとりされ、一定のセキュリティで送受信できる情報は通信部２６と通信部５６との間の通信でやり取りされる。
【００６０】
次に、主制御部２２は、ステップＳ５４として、ステップＳ５２で受信した振込／引出情報を記憶部２４、非接触型ＩＣカード３６に保存して処理を終了する。
【００６１】
次に、ＡＴＭ５０の動作について説明する。まず、携帯通信端末１が短距離無線通信部５４の近傍に近づけられると、短距離無線通信部５４から出力される電波により携帯通信端末１の非接触型ＩＣカード３６が起動され、通信が開始される。ＡＴＭ５０の制御部５２は、この通信の開始を検出することで、ステップＳ６０として、携帯通信端末１がかざされたことを検知する。
【００６２】
制御部５２は、ステップＳ６０で携帯通信端末１がかざされたことを検知したら、ステップＳ６２として、キャッシュカード情報を受信する。具体的には、非接触型ＩＣカード３６に記憶されている情報からキャッシュカード情報を読み出す。
【００６３】
次に、制御部５２は、ステップＳ６４として、ステップＳ６２で受信したキャッシュカード情報が正しいかを判定する。ここで、キャッシュカード情報が正しいか否かの判定は、受信したキャッシュカード情報とホストコンピュータ７０に記憶されている情報との、支店、口座番号、名義、暗証番号が一致しているかを判定する。制御部５２は、キャッシュカード情報の全てがホストコンピュータ７０に記憶されている情報と一致した場合に、キャッシュカード情報が正しいと判定する。
【００６４】
制御部５２は、ステップＳ６４で、キャッシュカード情報が正しくない（Ｎｏ）、つまり、キャッシュカード情報が間違っていると判定したら、処理を終了する。これにより、キャッシュカード情報が間違っている場合は、引き出し処理、振込み処理は行われない。
【００６５】
制御部５２は、ステップＳ６４でキャッシュカード情報が正しい（Ｙｅｓ）と判定したら、ステップＳ６６として、振込／引出情報をＮＦＣ通信で受信する。具体的には、非接触型ＩＣカード３６から送られる振込／引出情報を短距離無線通信部５４で受信する。なお、非接触型ＩＣカード３６に記憶されている振込／引出情報を短距離無線通信部５４で読み取るようにしてもよい。なお、ステップＳ６６で受信する情報は、高いセキュリティで受信する必要がある情報である。
【００６６】
制御部５２は、ステップＳ６６で振込／引出情報をＮＦＣ通信で受信したら、ステップＳ６８で、振込／引出情報を高速通信で受信する。具体的には、制御部５２は、携帯通信端末１から、サーバ８０及びホストコンピュータ７０を介して供給される振込／引出情報を受信する。なお、ステップＳ６８で受信する振込／引出情報は、ある程度のセキュリティで送ることができる情報である。
【００６７】
制御部５２は、ステップＳ６６及びステップＳ６８で情報を受信したら、ステップＳ７０として、顧客の残高を照会する。具体的には、制御部５２は、ステップＳ６２で取得したキャッシュカード情報に基づいて、口座を特定し、ホストコンピュータ７０に記憶されている情報から特定した口座の残高の情報を検出する。
【００６８】
制御部５２は、ステップＳ７０で残高を照会したら、ステップＳ７２として、振込処理があるかを判定する。具体的には、ステップＳ６６及びステップＳ６８で受信した振込／引出情報に振込情報があるかを判定する。なお、振込／引出情報が複数ある場合は、振込情報、引出情報を１つずつ抽出して処理を行う。
【００６９】
制御部５２はステップＳ７２で振込処理がある（Ｙｅｓ）と判定したら、ステップＳ７４として、振込金額≦残高であるかを判定する。つまり、振込み処理の振込み金額が残高よりも少ないか否かを判定する。制御部５２は、ステップＳ７４で、振込金額≦残高である（Ｙｅｓ）と判定したら、ステップＳ７６として、振込処理を行う。つまり、ステップＳ７２で抽出した振込情報に基づいて、振込み先の口座、金額、振込み日時等の情報をホストコンピュータ７０に送り、振込処理を行う。制御部５２は、ステップＳ７２で振込処理を行ったらステップＳ８６に進む。なお、通信システム１００は、振込処理を行う前に、各種情報を表示し、操作者が最終決定を行うようにしてもよい。この場合は、ＮＦＣ通信、高速通信（通信部を介した通信）を用いて、携帯通信端末１に情報を送信し、携帯通信端末１で決定指示を入力できるようにしても、ＡＴＭ５０の表示部６２に表示させ、操作部６４から決定指示を入力できるようにしてもよい。
【００７０】
また、制御部５２は、ステップＳ７４で、残高＜振込金額である（Ｎｏ）と判定したら、ステップＳ７８として、処理できなかった振込みと記憶し、ステップＳ８６に進む。つまり、制御部５２は、残高が振込み金額よりも少ない場合は、振込処理を行わずに、処理ができなかった情報を記憶する。
【００７１】
次に、制御部５２は、ステップＳ７２で振込／引出情報の中で処理対象となる情報が振込処理ではない（Ｎｏ）と判定したら、ステップＳ８０として、引出処理であるかを判定する。制御部５２は、ステップＳ８０で引出処理である（Ｙｅｓ）と判定したら、ステップＳ８２として、引出金額≦残高であるかを判定する。つまり、引出処理の引き出し金額が残高よりも少ないか否かを判定する。制御部５２は、ステップＳ８２で、引出金額≦残高である（Ｙｅｓ）と判定したら、ステップＳ８４として、携帯通信端末１に指定額をチャージする情報を送信する。つまり、ステップＳ８０で抽出した引出情報に基づいて指定された金額を非接触型ＩＣカード３６にデポジットするための情報を、短距離無線通信部５４から送る。なお、ステップＳ８０で抽出した引出情報が現金で引き出す旨の情報である場合は、指定された金額の現金を現金授受部６０に用意し、操作者によって取り出し可能な状態にする。制御部５２は、ステップＳ８４の処理を行ったらステップＳ８６に進む。
【００７２】
また、制御部５２は、ステップＳ８２で、残高＜引出金額である（Ｎｏ）と判定したら、引出処理は行わずに、ステップＳ８６に進む。また、制御部５２は、ステップＳ８０で引出処理ではない（Ｎｏ）と判定したら、ステップＳ８８に進む。
【００７３】
次に、制御部５２は、ステップＳ７４、Ｓ７８、Ｓ８４の処理を行ったら、または、ステップＳ８２でＮｏと判定したら、ステップＳ８６として、取引内容を画面に表示させる。具体的には、実行した振込処理情報や、実行した引出処理の情報、実行できなかった処理の情報、現在の残高の情報等を表示する。なお、これらの表示は、表示部６２に表示させても、表示部３２に表示させてもよい。制御部５２は、ステップＳ８６で画面を表示させたら、ステップＳ８８として、登録情報をすべて処理したかを判定する。つまり、携帯通信端末１から送られた、登録された振込／引出情報を全て処理したかを判定する。制御部５２は、ステップＳ８８ですべて処理していない（Ｎｏ）と判定したら、ステップＳ７０に進み、上記処理を繰り返す。
【００７４】
また、制御部５２は、ステップＳ８８ですべての処理を終了した（Ｙｅｓ）と判定したら、ステップＳ９０として、処理できなかった振込／引出情報を送信する。具体的には、制御部５２は、処理できなかった振込／引出情報をＮＦＣ通信及び／または高速通信により、携帯通信端末１に送る。その後、処理を終了する。
【００７５】
このように、通信システムは、携帯通信端末１とＡＴＭ５０との間で通信を行う場合に、高いセキュリティで送る必要のある情報は、非接触型ＩＣカード３６と短距離無線通信部５４とを用いたＮＦＣ通信でやり取りを行う。また、それ以外の情報（例えば、セキュリティがそれほど要求されない情報）は、通信部２６及び通信部５６を用いた高速通信によりやり取りを行う。つまり、ＮＦＣ通信を用い他人に傍受できない形式で外部に漏れてはいけない情報をやり取りし、ＮＦＣ通信よりも通信速度の速い高速通信で、高いセキュリティが必要ない情報、例えば、その情報単体では、処理を特定できない情報、知られても問題がない情報をやり取りする。これにより、セキュリティを維持しつつ、情報のやり取りを迅速に行うことができる。具体的には、所定の情報は、非接触型ＩＣカード３６と短距離無線通信部５４とを近距離に近づけてＮＦＣ通信で、やり取りすることで、周囲にアンテナ等を立てても傍受できないようにすることができ、外部に漏洩することを抑制することができ、セキュリティを高くすることができる。また、情報量の多い処理であっても、一部の情報は高速通信でやり取りを行えるため、高速で処理を行うことが可能となる。これにより、複数の振込情報、引出情報を送ることが可能となり、短時間で複数の振込処理、引出処理を行うことができる。
【００７６】
また、携帯通信端末１に必要な処理、振込みの情報、引き出しの情報を予め入力することができるため、ＡＴＭ５０に情報を入力する手間を省くことができる。これにより、ＡＴＭ５０の前に長時間滞在する必要がなくなり、ＡＴＭ５０を効率よく利用することができる。また、予め自宅等で情報を処理することができるため、処理画面を他人に見られる可能性を少なくすることができ、安全性をより高くすることができる。
【００７７】
また、携帯通信端末１とＡＴＭ５０との間で直接、キャッシュカード情報をやり取りするため、インターネット回線を利用し、ホームページ上でキャッシュカード情報を入力する場合よりもセキュリティを高く維持することができる。具体的には、ウィルスや、フィッシング詐欺等により誤ったホームページに口座情報を入力してしまい、第３者にキャッシュカード情報が漏洩してしまう可能性を低減することができる。また、キャッシュカードを持ち歩く必要がなくなり、携帯通信端末１にキャッシュカード機能と、財布の機能とを持たせることができる。
【００７８】
処理が終了した振込情報、引出情報は、消去することで、同じ処理を複数回行うことを防止することができる。また、情報を消去することで、携帯通信端末１が盗まれたり、盗み見られたりしても、履歴が見られてしまうことを抑制することができる。なお、上記効果を得ることができなくなるが、通帳の役割を果たすことも可能となるため、履歴を残すようにしてもよい。
【００７９】
また、引き出し情報に基づいて、携帯通信端末１の非接触型ＩＣカード３６にチャージ（デポジット）することで、現金を持つ必要がなくなる。これにより、現金が盗まれる被害を防ぐことができる。また、ＡＴＭ５０から直接チャージできることで、一度現金を引き出し、その現金を用いて専用機でチャージを行ったり、クレジットカード決済を用いて専用機でチャージをしたりする必要がなくなる。これにより、操作者の負担を少なくすることができ、処理を簡単にすることができる。
【００８０】
なお、上記実施形態では、暗証番号を予め記憶させるようにしたが、暗証番号は、ＡＴＭ５０との通信を行う毎に入力するようにし、携帯通信端末１には、記憶させないようにしてもよい。携帯通信端末１に暗証番号を記憶させないことで、第３者が勝手に利用することを抑制することができる。
【００８１】
また、上記実施形態では、ＡＴＭ５０に表示部や操作部を設けたが、本発明を用いることで、携帯通信端末１の表示部に必要な情報を表示させることができる。これにより、ＡＴＭ５０には、表示部、操作部を設けない構成とすることも可能となる。また、口座からの引き出しを非接触型ＩＣカード３６への引き出しのみとし、現金の取り扱いを行わない場合は、現金授受部６０も必要なくなる。これにより、ＡＴＭ５０の装置構成も簡単にすることができる。
【００８２】
また、上記実施形態では、高速通信として、電話回線等の通信回線網を利用した通信を利用したが、本発明はこれに限定されない。例えば、赤外線通信や、Bluetooth等の通信網を介さず、携帯通信端末１とＡＴＭ５０との間で直接通信する通信手段も用いることができる。このように、直接通信を行うことで、高速通信による通信もセキュリティを高くすることができる。
【００８３】
なお、上記実施形態では、ＮＦＣ通信を行った後、高速通信を行うようにしたが、通信の順序は、特に限定されないが、二つの通信を平行して処理することが好ましい。これにより、より短時間で処理を行うことが可能となる。
【００８４】
また、上記実施形態では、振込み情報、引き出し情報、キャッシュカード情報等をやりとりする場合で説明したが、やりとり（送受信）する情報はこれに限定されず、種々の情報をやり取りすることができる。例えば、ポイント情報や、クーポン情報、利用明細情報等もやり取りすることができる。このような情報をやり取りする場合も、ＮＦＣ通信と高速通信を併用しているため、短時間で処理をすることができる。
【００８５】
また、上記実施形態では、携帯通信端末１とＡＴＭ５０との間での処理として説明したが、これに限定されない。例えば、携帯通信端末とレジとの間での料金の支払いに用い、ＮＦＣ通信で料金の支払いを行い、高速通信でポイント情報や、クーポン情報を受信するようにしてもよい。また、支払いの方法を選択、つまり、電子マネーの種類を指定する処理を高速通信により行うようにすることで、支払い時に操作者が電子マネーの種類を指定する操作を入力する必要がなくなる。
【産業上の利用可能性】
【００８６】
以上のように、本発明にかかる携帯通信端末、通信システム及び通信方法は、複数の通信機能を有する携帯通信端末での通信に用いることに有用である。
【符号の説明】
【００８７】
１  携帯通信端末
１Ｃ  筐体
１ＣＡ  第１筐体
１ＣＢ  第２筐体
２Ｍ  メインディスプレイ
３  操作キー
４  方向及び決定キー
５  マイク
６  レシーバ
１８  ヒンジ
２２  主制御部
２４  記憶部
２６  通信部
２８  操作部
２９  入力データ取得部
３０  音声処理部
３２  表示部
３３  表示制御部
３６  非接触型ＩＣカード
５０  現金自動預け払い機（ＡＴＭ）
５２  制御部
５４  短距離無線通信部
５６  通信部
５８  記憶部
６０  現金授受部
６２  表示部
６４  操作部
７０  ホストコンピュータ
８０  サーバ
１００  通信システム
【図１】
0005476090.tif 000002
【図２】
0005476090.tif 000003
【図３】
0005476090.tif 000004
【図４】
0005476090.tif 000005
【図５】
0005476090.tif 000006
【図６】
0005476090.tif 000007
【図７】
0005476090.tif 000008